(57)【特許請求の範囲】
【請求項１】
ＤＡＢシステムによるディジタル放送を受信中に受信信号に含まれるＦＩＣデータの符号誤り率を算出するエラー率算出手段と、
前記受信信号の符号誤り率と第１の限界符号誤り率及び第２の符号誤り率との大小を比較して出力モードを設定する出力モード設定手段と、
ディジタル放送の受信データを復号する復号手段と、
前記復号手段の出力をアナログ信号に変換するＤ／Ａ変換器と、
前記Ｄ／Ａ変換器から出力されるアナログオーディオ信号のノイズを低減するノイズ低減手段とを備え、
前記受信信号の符号誤り率が前記第１の限界符号誤り率よりも小さいときには、実質的に前記ノイズ低減手段を介さずに前記アナログオーディオ信号を出力し、
前記受信信号の符号誤り率が前記第１の限界符号誤り率以上で前記第２の限界符号誤り率以下であるときには、前記ノイズ低減手段を介してアナログオーディオ信号を出力し、
前記受信信号の符号誤り率が前記第２の限界符号誤り率よりも大きいときには、前記復号手段又は前記Ｄ／Ａ変換器の出力を停止することを特徴とするディジタル放送受信装置。
【請求項２】
請求項１記載のディジタル放送受信装置において、前記第１の限界符号誤り率又は前記第２の限界符号誤り率を設定するための誤り率設定手段をさらに備えることを特徴とするディジタル放送受信装置。
【請求項３】
請求項１又は請求項２記載のディジタル放送受信装置において、前記ノイズ低減手段は所定周波数範囲の信号のみを通過させる帯域通過フィルタであることを特徴とするディジタル放送受信装置。
【請求項４】
請求項２記載のディジタル放送受信装置において、前記第１の限界符号誤り率又は前記第２の限界符号誤り率を外部から設定可能としたことを特徴とするディジタル放送受信装置。
【発明の詳細な説明】
【０００１】
【発明の属する技術分野】
本発明は、ディジタル放送受信装置に関し、特に、受信信号中にノイズがある程度多く含まれる場合の出力モードに関する。
【０００２】
【従来の技術】
ディジタル放送ではオーディオ情報信号や画像情報信号、文字情報信号などが所定のフォーマットで圧縮され、複数のサービスに対応できるように複数サービスの情報信号がデータ信号として多重化されて送信される。ディジタル音声を含む前記所定フォーマットのデータ信号を送受信するシステムとして、例えば欧州規格（Ｅｕｒｅｋａ  １４７）に準拠したＤＡＢ（Ｄｉｇｉｔａｌ    Ａｕｄｉｏ    Ｂｒｏａｄｃａｓｔｉｎｇ：以下略してＤＡＢとも記す）システムが実用化されている。
前記ＤＡＢシステムでは、１つのアンサンブルが複数のサービスで構成され、各サービスも複数のコンポーネントで構成される。その詳細についてはＤＡＢの規格書に記載されているので説明を省略する。
【０００３】
図６はＤＡＢシステムにおける伝送フレームの構成を示す図である。送信されてくるＤＡＢ信号は直交周波数分割多重変調方式即ちＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）で変調されたＯＦＤＭ信号として送信され、図６に示す伝送フレーム（Ｔｒａｎｓｍｉｓｓｉｏｎ    ｆｒａｍｅ）は、前記ＯＦＤＭ信号を復調した復調ＯＦＤＭ信号から得られる。
図６に示すように、復調ＯＦＤＭ信号における伝送フレームは、同期チャネル（Ｓｙｎｃｈｒｏｎｉｚａｔｉｏｎ    Ｃｈａｎｎｅｌ）、ＦＩＣ（Ｆａｓｔ  Ｉｎｆｏｒｍａｔｉｏｎ  Ｃｈａｎｎｅｌ：高速情報チャネル）、ＭＳＣ（Ｍａｉｎ  Ｓｅｒｖｉｃｅ  Ｃｈａｎｎｅｌ：メインサービスチャネル）のブロックで構成される。前記ＦＩＣは受信機が番組を選局するのに必要な情報や番組に対する補助情報などを伝送し、前記ＭＳＣは音声やデータのサブチャンネル（Ｓｕｂ  Ｃｈａｎｎｅｌ）を伝送する。
【０００４】
１フレーム分の前記ＦＩＣは３つのＦＩＢ（Ｆａｓｔ  Ｉｎｆｏｒｍａｔｉｏｎ  Ｂｌｏｃｋ）と呼ばれるデータブロックからなり、ＭＳＣは伝送モードにより異なるが１乃至４のＣＩＦ（Ｃｏｍｍｏｎ  Ｉｎｔｅｒｌｅａｖｅｄ  Ｆｒａｍｅ）と呼ばれるデータブロックにより構成され、ＣＩＦ単位でタイムインターリーブがかけられている。前記ＣＩＦには複数のサブチャンネルが多重化されており、１つのサブチャンネルは一つの番組に相当する。従って、ユーザは一つの番組を受信しようとするときには、前記ＣＩＦから特定のサブチャンネルを選択して選局する。
ＤＡＢシステムでは、あるアンサンブルが受信されれば、そのアンサンブルに含まれる複数のサービス、コンポーネントに関する情報を得ることができ、受信周波数を変更することなく異なるサービス、コンポーネントへ瞬時に切り換えることが可能とされている。
【０００５】
前記伝送フレームの先頭には同期チャネルブロックが設けられている。この同期チャネルブロックは、粗同期用のヌル信号部と、ＯＦＤＭ復調における差分ＱＰＳＫ復調のための基準位相を担う基準位相シンボルとからなる。ＤＡＢ受信機における選局はアンサンブルを単位として行い、他のアンサンブルを受信する場合には周波数の変更、すなわち、アンサンブルアップ／ダウンを行う。
【０００６】
図４は、従来のディジタル放送受信装置の一例を示すブロック図である。以下、図４を基に従来のディジタル放送受信装置についてＤＡＢ受信機を例にして説明する。このＤＡＢでは、変調方式としてＯＦＤＭ（直交周波数分割多重方式：Ｏｒｔｈｏｇｏｎａｌ  Ｆｒｅｑｕｅｎｃｙ  Ｄｉｖｉｓｉｏｎ  Ｍｕｌｔｉｐｌｅｘ）が採用されているものとして説明する。
図４に示すディジタル放送受信装置５０において、フロントエンド１３ではアンテナ１１を介してＤＡＢ搬送波が受信され、ＲＦ信号の処理が行われる。該信号処理においてＲＦ信号は、ディジタル信号処理が可能な中間周波数信号（ＩＦ信号）に変換され、アナログ／ディジタル変換器（Ａ／Ｄ変換器）１５に出力される。Ａ／Ｄ変換器１５ではアナログ信号がディジタル情報信号に変換され、Ｉ／Ｑ検波器１６に供給される。Ｉ／Ｑ検波器１６とＦＦＴ１７とＤＳＰ１８とでＯＦＤＭ復調器２１が構成されている。
【０００７】
Ｉ／Ｑ検波器１６では、後段でＯＦＤＭ信号が処理できるように、Ｉ信号とＱ信号とに分割されＦＦＴ１７に供給される。ＦＦＴ１７では、ＤＳＰ（ディジタル演算装置）１８を用いて高速フーリエ変換が行われ、チャンネルデコーダ２３に供給される。チャンネルデコーダ２３では、信号の順番を元の順に戻すデ・インターリーブ（ｄｅ−ｉｎｔｅｒｌｅａｖｉｎｇ）や、送信されなかったコードビットを挿入して元のデータに戻すデ・パンクチャリング（ｄｅ−ｐａｎｃｔｕｒｉｎｇ）や、誤り符号の検出や訂正などが行われる。またマイクロプロセッサ（ＭＰＵ）３１ではチャンネルデコーダ２３と協働して前記誤り符号の訂正と共に、符号誤り率の算出が行われ、符号誤り率が予め定めた所定値（この符号誤り率を以下の記載では限界符号誤り率とも記す）より大になった時には、ＭＰＥＧデコーダ２７における復号動作と該復号で得られる復号信号の送出を停止するためのミュート制御信号が０から１（又はＬからＨ）に変化しＤ／Ａ変換器２９に与えられる。チャンネルデコーダ２３については後で詳しく述べる。
【０００８】
チャンネルデコーダ２３から圧縮されたオーディオ情報がＭＰＥＧデコーダ２７に供給され、ＭＰＥＧデコーダ２７では前記圧縮されたオーディオ情報が復号されて圧縮が解除され、ディジタル／アナログ変換器（Ｄ／Ａ変換器）２９でアナログ情報に変換されアナログオーディオ信号として出力される。
【０００９】
図５は従来例におけるミュート制御信号の生成手順を示すフローチャートである。図５に示すフローチャートは、チャンネルデコーダ２３で行われる処理を示している。図５においてまず、ステップＳ１１では、周波数軸上での誤りをランダム化するためになされた周波数インターリーブを解除して元に戻すデ・インターリーブが行われ、図６に示す伝送フレームが得られる。
【００１０】
次に、前記ＦＩＣとＭＳＣとがステップＳ１３で分離される。ステップＳ１５ではＦＩＣのデータに対してビダビ復号が行われ、ステップＳ１７ではＭＰＵ３１などで構成されるエラー率算出手段によって符号誤り率の算出が行われる。前記ステップＳ１５とＳ１７は実際にはＭＰＵ３１等によってほぼ同時に行われ、符号誤り率ＥＲＮが予め定めた所定値（限界符号誤り率ＥＲＬ）より大になった時には、ＭＰＥＧオーディオ信号の復号と該復号された信号の送出とを停止するためのミュート制御信号が０から１（又はＬからＨ）に変化しＤ／Ａ変換器２９に与えられる。前記ステップＳ１７における符号誤り率ＥＲＮの算出は、ステップＳ１５におけるビダビ復号によってエラー訂正されたデータと、エラー訂正前のデータとを比較することによって行われる。次にステップＳ１９でスクランブルが解除され（デ・スクランブル）、ステップＳ２１ではＣＲＣチェックが行われ、ミュート制御信号としてディジタル放送受信装置５０全体を制御するマイクロプロセッサ（ＭＰＵ）３１に供給される。
【００１１】
一方、ステップＳ２５では、複数のサブチャンネルのうち、ユーザが選局した番組に対応するサブチャンネルのデータが分離される。次に、ステップＳ２７では、時間軸上での誤りをランダム化するためのタイムインターリーブを解除するタイム・デ・インターリーブが行われる。因みに、ＦＩＣに対してはタイム・デ・インターリーブが行われない。そして、ステップＳ２９ではビダビ復号が行われ、ステップＳ３１でデ・スクランブルが行われ、ＤＡＢオーディオフレーム（ＤＡＢ  Ａｕｄｉｏ  ｆｒａｍｅ）が図４のＭＰＥＧデコーダ２７に対して出力される。なお、ステップＳ２９ではＦＩＣの場合と同様に畳み込み符号化されたデータに対する符号誤りの検出と訂正がビダビ復号により行われる。
【００１２】
ＤＡＢの変調方式であるＯＦＤＭはマルチキャリア変調方式の一種であり、移動体通信においてマルチパスやフェージングの受け難い安定した受信が可能であるとされている。それでも実際には受信されたデータはさまざまな原因によってある程度の符号誤りを持つことになる。このため前記したように、前記ＦＩＣ又はＭＳＣのデータはビダビ復号によってエラー訂正がなされ、該エラー訂正されたデータを再符号化して、エラー訂正前のデータと比較して符号誤り率が算出される。そして、前記符号誤り率が所定値より大なる時には、ＭＰＥＧデコーダ２７の動作が停止され、Ｄ／Ａ変換器２９からの出力が停止されるようになっている。
【００１３】
【発明が解決しようとする課題】
しかしながら、ビダビ復号を用いた符号誤り率と、実際の聴感上のノイズや歪みの大きさとは必ずしも一致してなく、これがために、前記符号誤り率が所定の限界符号誤り率（閾値）より小さいにも係わらず、スピーカから出力される音響信号にノイズや歪みが目立つ場合がある。
【００１４】
一方、受信するユーザや、受信する放送のソース（信号源）の種類によっては、ある程度のノイズや歪があっても、出力が途切れないようにしたい場合もある。例えば、受信した番組がニュースや交通情報などである場合には、ある程度大きめのノイズがあったり音質が悪かったりしても、放送内容を把握することが出来るのであれば受信を継続したいとユーザは考える。
かかる場合に、従来のディジタル放送受信装置では、ミュート動作を開始させる時の閾値となる限界符号誤り率がディジタル放送受信装置ごとに固定されていて、予め設定されている限界符号誤り率を超えると無条件にＭＰＥＧデコーダ２７又はＤ／Ａ２９の出力が停止され、ユーザごと或いはケースごとに生じるさまざまな要求に応えられないという問題があった。
【００１５】
本発明は前記問題点に鑑みてなされたものであり、その目的は、ミュート動作の態様を必要に応じて変更可能とし、受信信号に比較的ノイズが多く含まれる場合においても受信することが可能なディジタル放送受信装置を提供することである。
【００１６】
【課題を解決するための手段】
本発明は上記目的を達成するために次のような構成でなされたものである。
第１の発明は、ディジタル放送を受信中に受信信号の符号誤り率を算出するエラー率算出手段と、前記受信信号の符号誤り率と第１の限界符号誤り率及び第２の符号誤り率との大小を比較して出力モードを設定する出力モード設定手段と、ディジタル放送の受信データを復号する復号手段と、前記復号手段の出力をアナログ信号に変換するＤ／Ａ変換器と、前記Ｄ／Ａ変換器から出力されるアナログオーディオ信号のノイズを低減するノイズ低減手段とを備えたディジタル放送受信装置であって、前記受信信号の符号誤り率が前記第１の限界符号誤り率よりも小さいときには、実質的に前記ノイズ低減手段を介さずに前記アナログオーディオ信号を出力し、前記受信信号の符号誤り率が前記第１の限界符号誤り率以上で前記第２の限界符号誤り率以下であるときには、前記ノイズ低減手段を介してアナログオーディオ信号を出力し、前記受信信号の符号誤り率が前記第２の限界符号誤り率よりも大きいときには、前記復号手段又は前記Ｄ／Ａ変換器の出力を停止するようにしたディジタル放送受信装置である。
【００１７】
第２の発明は、第１の発明のディジタル放送受信装置において、前記第１の限界符号誤り率又は前記第２の限界符号誤り率を設定するための誤り率設定手段をさらに備えるようにしたディジタル放送受信装置である。
【００１８】
第３の発明は、第１の発明又は第２の発明のディジタル放送受信装置において、前記ノイズ低減手段は所定周波数範囲の信号のみを通過させる帯域通過フィルタであるようにしたディジタル放送受信装置である。
【００１９】
第４の発明は、第２の発明のディジタル放送受信装置において、前記第１の限界符号誤り率又は前記第２の限界符号誤り率を操作者により外部から設定可能としたディジタル放送受信装置である。
【００２０】
【発明の実施の形態】
本発明のディジタル放送受信装置は、受信信号の符号誤り率に応じて出力モードを設定する出力モード設定手段と、ディジタル放送の圧縮された受信データを復号する復号手段と、前記復号手段の出力をアナログ信号に変換するＤ／Ａ変換器と、前記Ｄ／Ａ変換器から出力されるアナログオーディオ信号のノイズを低減するノイズ低減手段とを備え、受信信号の符号誤り率が第１の限界符号誤り率よりも小さいときには、実質的に前記ノイズ低減手段を介さずに前記アナログオーディオ信号を出力し、受信信号の符号誤り率が前記第１の限界符号誤り率以上で第２の限界符号誤り率以下であるときには、前記ノイズ低減手段を介してアナログオーディオ信号を出力し、受信信号の符号誤り率が前記第２の限界符号誤り率よりも大きいときには、前記復号手段又は前記Ｄ／Ａ変換器の出力を停止するようにしたものである。
【００２１】
以下、本発明の実施の形態について図面を参照して説明する。
図１は本発明ディジタル放送受信装置の実施例を示すブロック図である。図１において図４と同一機能の要素には同一の符号を付し、以下の説明ではその説明を省略する場合がある。
図１に示すディジタル放送受信装置１０において、アンテナ１１から入来するディジタル放送波は、図４で説明した従来例のものと同一であるとし、オーディオ情報信号や画像情報信号、文字情報などが所定のフォーマットで圧縮されて送信されたものである。以下に述べる本発明実施例のディジタル放送受信装置では、ＤＡＢ（Ｄｉｇｉｔａｌ  Ａｕｄｉｏ  Ｂｒｏａｄｃａｓｔｉｎｇ）受信機を例にして説明する。またこのＤＡＢでは、変調方式としてＯＦＤＭ（直交周波数分割多重方式）が採用されているものとして説明する。
【００２２】
図１において、図４と異なる主要点は出力モード設定手段２５と誤り率設定手段３５とフィルタ３３とが設けられている点と、フィルタ３３の周波数特性が出力モード設定手段２５の出力に応じてＭＰＵ３２により制御される点である。フィルタ３３は例えば所定周波数範囲の信号のみを通過させる帯域通過フィルタ（バンドパスフィルタ）であり、Ｄ／Ａ２９から出力されるアナログオーディオ信号に含まれるノイズを低減して、次段のオーディオ増幅器に与えるためのフィルタである。該フィルタはその周波数特性をＭＰＵ３２により切り換えることが出来、実質的にフィルタをスルーにすることが出来る。また、フィルタ３３はローパスフィルタであっても良い。
【００２３】
以下の説明では、フィルタ３３が平坦な周波数特性を有する状態をフィルタＯＦＦの状態又はスルーの状態と記し、フィルタ３３がバンドパスフィルタである状態をフィルタＯＮの状態と記す。フィルタＯＦＦの状態では、Ｄ／Ａ２９の出力は実質的にフィルタ３３を介さずに次段のオーディオ増幅器に与えられ、フィルタＯＮの状態では、Ｄ／Ａ２９の出力は実質的にフィルタ３３を介して次段のオーディオ増幅器に与えられる。
出力モード設定手段２５や誤り率設定手段３５は独立したハードウエアで構成するのではなく、入力手段が接続されたマイクロプロセッサ（ＭＰＵ）３２でその機能を達成することも可能である。
【００２４】
チャンネルデコーダ２３では、従来例で説明したのと同様に、前記ＯＦＤＭ復調器から出力される復調ＯＦＤＭ信号における符号列の符号誤りがビダビ復号を用いて検出され、ＭＰＵ３２などを用いたエラー率算出手段で受信信号の符号誤り率が算出される。誤り率設定手段３５では、前記第１及び第２の限界符号誤り率がユーザによって設定又は選択され、マイクロプロセッサ（ＭＰＵ）３２のメモリに格納される。
【００２５】
出力モード設定手段２５では、チャンネルデコーダ２３から出力される符号誤り率（ＥＲＮ）と、ユーザが設定又は選択した前記第１の限界符号誤り率（ＥＲＬ）及び前記第２の限界符号誤り率（ＥＲＨ）との大小が比較され、その結果に応じた出力モードが出力モード設定手段２５からＭＰＵ３２に与えられる。ＭＰＵ３２は出力モード設定手段２５から与えられた出力モードに応じてミュートの態様を制御する。すなわち、前記出力モードに応じてフィルタ３３のＯＮ、ＯＦＦと、ＭＰＥＧデコーダ２７における復号の実行／停止を制御する。
【００２６】
具体的には、前記受信信号の符号誤り率（ＥＲＮ）が前記第１の限界符号誤り率（ＥＲＬ）よりも小さいときには、実質的にフィルタ３３を介さずに、すなわちフィルタ３３をスルーにしてフィルタ３３からオーディオ増幅器へアナログオーディオ信号を出力し、前記受信信号の符号誤り率（ＥＲＮ）が前記第１の限界符号誤り率（ＥＲＬ）以上で前記第２の限界符号誤り率（ＥＲＨ）以下であるときには、フィルタ３３をＯＮにしてアナログオーディオ信号を出力し、前記受信信号の符号誤り率が前記第２の限界符号誤り率（ＥＲＨ）よりも大きいときには、ＭＰＥＧデコーダ２７の復号動作を停止しＤ／Ａ２９の出力を停止する。
なお、Ｄ／Ａ２９から復号済み信号が出力されないようにする場合、ＭＰＥＧデコーダ２７に電源を供給しないようにすることにより、電力を節減することが出来る。
【００２７】
図２は本発明における出力モード信号の生成手順を示すフローチャートである。図２において図５と同一処理のステップには同一の符号を付し、その説明を省略することがある。図２と図５とで異なる点は、図２ではステップＳ３５、Ｓ３７で構成される出力モード設定ステップＳ４０が設けられている点であり、出力モードを示す出力モード信号は、ステップＳ１７で得られた符号誤り率（ＥＲＮ）と、ステップＳ３５で設定又は選択された第１の限界エラー率（限界符号誤り率）（ＥＲＬ）及び第２の限界エラー率（限界符号誤り率）（ＥＲＨ）との大小比較結果に応じて生成される。ステップＳ１７で得られる符号誤り率ＥＲＮは、従来例について説明したように、受信中のＦＩＣのデータを用いて算出される符号誤り率であり、実際にはステップＳ１３で分離されたＦＩＣのデータに対してビダビ復号がなされ、該ビダビ復号で誤り訂正されたデータが再符号化され、誤り訂正前のデータと比較して誤り検出が行われ、符号誤り率が算出される。該符号誤り率の算出を行うエラー率算出手段は実際にはＭＰＵ３２などで構成される。
【００２８】
前記ステップＳ３５では、ユーザが誤り率設定手段３５により第１の限界符号誤り率ＥＲＬ及び第２の限界符号誤り率ＥＲＨを設定又は、選択する。限界符号誤り率をユーザが設定する場合は、フィルタ３３をＯＦＦにしてディジタル放送を受信し、受信可能限界であるとユーザが感じるまでに受信状態が悪化したときに、ユーザが誤り率設定手段３５の設定釦を押すことにより、その時点での符号誤り率ＥＲＮが第１の限界符号誤り率ＥＲＬとしてＭＰＵ３２のメモリに記憶される。また、フィルタ３３をＯＮにして受信し、受信可能限界であるとユーザが感じるまでに受信状態が悪化したときに、ユーザが誤り率設定手段３５の設定釦を押すことにより、その時点での符号誤り率ＥＲＮが第２の限界符号誤り率ＥＲＨとしてＭＰＵ３２のメモリに記憶される。
【００２９】
ユーザが限界符号誤り率を選択する場合は、第１の限界符号誤り率と第２の限界符号誤り率の夫々について、限界符号誤り率の複数の選択肢を予めディジタル放送受信装置にプリセットしておき、該用意された複数の選択肢を表示手段３７に表示して、その中の一つをユーザが選択し、該選択された符号誤り率を第１又は第２の限界符号誤り率として誤り率設定手段３５のメモリに格納するようにしても良い。
【００３０】
ステップＳ３７では、前記受信信号の符号誤り率ＥＲＮと前記第１の限界符号誤り率ＥＲＬ及び前記第２の限界符号誤り率ＥＲＨの大小が比較され、前記受信信号の符号誤り率ＥＲＮが前記第１の限界符号誤り率ＥＲＬより小さいときには、出力モード信号として００がＭＰＵ３２に与えられ、前記受信信号の符号誤り率ＥＲＮが第１の限界符号誤り率ＥＲＬ以上で且つ第２の限界符号誤り率ＥＲＨ以下であるときには、出力モード信号として０１がＭＰＵ３２に与えられ、前記受信信号の符号誤り率ＥＲＮが前記第２の限界符号誤り率ＥＲＨより大きいときには、出力モード信号として１１がＭＰＵ３２に与えられる。
【００３１】
そして、出力モード信号が００であるときには、ＭＰＵ３２から与えられた制御信号に基づいて、フィルタ３３はＯＦＦに制御され、ＭＰＥＧデコーダ２７の出力は、フィルタ３３の影響を受けずにＤ／Ａ２９を介して出力される。又、出力モード信号が０１であるときには、ＭＰＵ３２から与えられた制御信号に基づいて、フィルタ３３はＯＮに制御され、ＭＰＥＧデコーダ２７の出力は、フィルタ３３により帯域制限を受けてノイズを低減され、出力される。さらに、出力モード信号が１１であるときには、ＭＰＵ３２から与えられた制御信号に基づいて、ＭＰＵ３２から与えられた制御信号に基づいて、ＭＰＥＧデコーダ２７の復号動作が停止されるか、或いはＤ／Ａ２９の出力が停止され、ミュート動作が行なわれる。
【００３２】
一方ステップＳ１３で分離されたＭＳＣのデータからは、希望する番組を受信するためにステップＳ２５で特定のサブチャンネルが分離され、該分離されたデータに対してタイム・デ・インターリーブ、ビダビ復号、デ・スクランブルが行われ、ステップＳ３１でＤＡＢオーディオフレーム（ＤＡＢ  Ａｕｄｉｏ  ｆｒａｍｅ）が出力される。
なお、ステップＳ３７で使用される受信信号の符号誤り率としては、ステップＳ１７で得られる受信信号の符号誤り率に代えて、ステップＳ２９で得られる受信信号の符号誤り率を採用しても良い。或いは、ステップＳ１７で得られる受信信号の符号誤り率と、ステップＳ２９で得られる受信信号の符号誤り率との両方を用いて、出力モードを設定するようにしても良い。
【００３３】
図３は本発明における出力モード設定手順を示すフローチャートである。図３において、ステップＳ５１では、現在の符号誤り率ＥＲＮを算出してステップＳ５３へ進む。ステップＳ５３では現在の符号誤り率ＥＲＮが第１の限界符号誤り率ＥＲＬ以上であるか否かを判別し、肯定であればステップＳ５５へ進み、否定であれば出力モード信号［００］を出力してステップＳ５７へ進む。ステップＳ５７では、ＭＰＥＧデコーダ２７での復号を開始又は継続し、フィルタ３３がＯＦＦ（スルー）の状態でアナログオーディオ信号をフィルタ３３から次段のオーディオ増幅器に出力し、ステップＳ６３へ進む。
【００３４】
ステップＳ５５では現在の符号誤り率ＥＲＮが第２の限界符号誤り率ＥＲＨより大であるか否かを判別し、肯定であれば出力モード信号［１１］を出力してステップＳ５９へ進み、否定であれば出力モード信号［０１］を出力してステップＳ６１へ進む。ステップＳ５９では、ＭＰＥＧデコーダ２７での復号を停止するか或いはＤ／Ａ２９の出力を停止してミュートをかけ、ステップＳ６３へ進む。ステップＳ５９ではＭＰＥＧデコーダ２７への電源供給を停止するようにすれば、消費電力を低減することも出来る。ステップＳ６１では、ＭＰＥＧデコーダ２７での復号を開始又は継続し、フィルタ３３がＯＮの状態でアナログオーディオ信号をフィルタ３３から次段のオーディオ増幅器に出力し、ステップＳ６３へ進む。ステップＳ６３では、受信中止釦が押されたか否かを判別し、中止指示があった場合はステップＳ６５へ進み、中止指示がなかった場合はステップＳ５１へ進む。ステップＳ６５では、チューナの電源をＯＦＦしてこのフローを中止する。
【００３５】
以上詳述したように、本発明を適用した実施の形態によれば、従来のようにディジタル放送受信装置の製造時に限界符号誤り率が固定した一つの値に設定されるのではなく、第１の限界符号誤り率と第２の符号誤り率とが設定される。そして受信信号の符号誤り率が第１の限界符号誤り率以上で且つ第２の符号誤り率以下である場合には、ＭＰＥＧ復号されアナログ信号に変換されたオーディオ信号が帯域制限フィルタを用いたノイズ低減手段によってノイズが抑圧され、次段のオーディオ増幅器に出力される。
【００３６】
したがって、従来では弱電界地域等でノイズが多い場合に、ミュート回路が作動して視聴できなかった放送をも視聴することが可能となり、ニュースや交通情報などの重要情報を継続して視聴することが可能となる。
また、第１の限界符号誤り率と第２の限界符号誤り率をユーザの要求に応じて設定可能にすることにより、個人別の要求に対応することが可能となる。すなわち、ユーザ個人個人の感覚や放送内容に応じて限界符号誤り率を設定し直すことにより、ミュート動作の態様を最適な態様に変更することが可能となる。例えば、音楽放送の場合は、限界符号誤り率を小さく設定し、ニュースや交通情報や天気予報などのナレーションでは限界符号誤り率を大きく設定することにより、重要なニュース、交通情報、天気予報などを聞き逃がしてしまうと言うリスクが減少する。
【００３７】
なお、送信されている放送が映像中心の放送であるか、オーディオ中心の放送であるか、緊急放送であるか等を示すプログラムタイプ信号が放送内容と共に送信されている場合には、前記プログラムタイプ信号に基づいて、限界符号誤り率を自動的に設定するようにしても良い。
また、前記実施例では、前記受信信号の符号誤り率が前記第１の限界符号誤り率よりも小さいときには、実質的に前記ノイズ低減手段を介さずに前記アナログオーディオ信号を出力するとしたが、この場合に、通過帯域の広い第１のフィルタを介して前記アナログオーディオ信号を出力し、前記受信信号の符号誤り率が前記第１の限界符号誤り率以上で前記第２の限界符号誤り率以下であるときには、前記第１のフィルタより通過帯域の狭い第２のフィルタを介して前記アナログオーディオ信号を出力するようにしても、本発明の趣旨を逸脱するものではなく、同様な効果が得られことは勿論である。
【図面の簡単な説明】
【図１】本発明ディジタル放送受信装置の実施例を示すブロック図である。
【図２】本発明における出力モード信号の生成手順を示すフローチャートである。
【図３】本発明における出力モード設定手順を示すフローチャートである。
【図４】従来のディジタル放送受信装置の一例を示すブロック図である。
【図５】従来例における出力モード信号の生成手順を示すフローチャートである。
【図６】ＤＡＢシステムにおける伝送フレームの構成を示す図である。
【符号の説明】
２１    ＯＦＤＭ復調器
２３    チャンネルデコーダ
２５    出力モード設定手段
２７    ＭＰＥＧデコーダ
２９    Ｄ／Ａコンバータ
３２    マイクロプロセッサ（ＭＰＵ）
３３    ノイズ低減手段（フィルタ）
３５    誤り率設定手段
３７    表示手段
【図１】
0003634296.tif 000002
【図２】
0003634296.tif 000003
【図３】
0003634296.tif 000004
【図４】
0003634296.tif 000005
【図５】
0003634296.tif 000006
【図６】
0003634296.tif 000007